(57)【要約】【課題】針振り動作時における機構内の軸支部に掛かる力を低減して、高速な針振り動作を可能とする。【解決手段】針棒を上下動させる針棒上下駆動機構と、当該針棒上下駆動機構に同期して針棒を振る針振り機構とを備えるボタン穴かがりミシンである。針振り機構には、針棒が摺動自在に挿通された前記針棒案内部と、針棒案内部の周囲を囲い、針棒の軸方向に直交する方向を回動軸として針棒案内部が回動するとともに、針棒案内部が当該針棒案内部の回動軸方向に摺動するように、針棒を挟んだ両側部で針棒案内部を回動自在及び摺動自在に軸支する第一軸支部と、針棒の軸方向及び第一軸支部の回動軸の両者に対して直交する方向を回動軸として第一軸支部が回動するとともに、第一軸支部が当該回動軸方向に摺動するように、一対の支持片で当該第一軸支部の回動軸の延長方向で第一軸支部を挟んで回動自在及び摺動自在に軸支する第二軸支部とが備えられている。【選択図】図４
2009061031.tif 000002
【特許請求の範囲】
【請求項１】
針棒を上下動させる針棒上下駆動機構と、当該針棒上下駆動機構に同期して前記針棒を振る針振り機構とを備えるボタン穴かがりミシンにおいて、
前記針振り機構は、
前記針棒を、軸を中心とした回転方向及び上下方向に案内するため、当該針棒が摺動自在に挿通された前記針棒案内部と、
前記針棒案内部の周囲を囲い、前記針棒の軸方向に直交する方向を回動軸として前記針棒案内部が回動するとともに、前記針棒案内部が当該針棒案内部の回動軸方向に摺動するように、前記針棒を挟んだ両側部で前記針棒案内部を回動自在及び摺動自在に軸支する第一軸支部と、
前記針棒の軸方向及び前記第一軸支部の回動軸の両者に対して直交する方向を回動軸として前記第一軸支部が回動するとともに、前記第一軸支部が当該回動軸方向に摺動するように、当該第一軸支部の回動軸の延長方向で前記第一軸支部を挟んで回動自在及び摺動自在に軸支する第二軸支部とを備えることを特徴とするボタン穴かがりミシン。
【発明の詳細な説明】
【技術分野】
【０００１】
本発明は、ボタン穴かがりミシンに係り、特に、針棒上下駆動機構と針振り機構とを備えるボタン穴かがりミシンに関する。
【背景技術】
【０００２】
従来、ミシンとして、ミシン針が固定された針棒を上下に駆動する針棒上下駆動機構と、針棒上下駆動機構に同期して針棒を左右に振らせる針振り機構とを備え、ボタン穴の周りにかがり縫いを施すボタン穴かがりミシンが知られている（例えば特許文献１参照）。
【０００３】
具体的に説明すると、図５に示すように従来のボタン穴かがりミシン１００には、針棒上下駆動機構１１０と、針振り機構１３０とが設けられている。
針棒上下駆動機構１１０には、先端にミシン針（図示省略）を固定した針棒１１１を上下に駆動するものである。針棒１１１は、自在軸受け１１２により上下動及び揺動自在に支持されている。針棒１１１の中間部には側方に突出するピン１１３を有する針棒抱き１１４が設けられている。この針棒抱き１１４は、図示しないリンク機構によりミシン主軸に連結されていて、ミシン主軸の回転を針棒１１１に伝達して、当該針棒１１１を上下動させるようになっている。
【０００４】
針振り機構１３０には、ミシン主軸の回転に基づいて、軸１３１を中心に回動する揺動レバー１３２が設けられている。この揺動レバー１３２の先端部には、連結棒１３３の基端部が回転可能に連結されている。連結棒１３３の先端部には、略Ｌ形に形成された針振りレバー１３４が、ミシン主軸とほぼ平行な針振り軸１３５を中心に揺動可能に取り付けられている。連結棒１３３と針振りレバー１３４は互いに回動可能に取り付けられている。針振りレバー１３４には、長穴１３４ａが形成され、この長穴１３４ａに針振りリンク１３６の上端部が係合している。一方、針振りリンク１３６の下端部は針振り揺動体１３７に対して回転可能に取り付けられている。針振り揺動体１３７の突出部１３７ｂは、針振り揺動体１３７の回り止めで、図示しない溝に摺動可能に挿入されている。
【０００５】
針振り揺動体１３７には、両端がメタル軸受け（図示省略）に固定されたガイド軸１３８が挿通している。したがって、揺動レバー１３２が矢印Ｑ１方向に揺動すると、連結棒１３３が矢印Ｑ２方向に振れて、針振りレバー１３４の先端が矢印Ｑ３方向に回動し、針振りリンク１３６を介して針振り揺動体１３７がガイド軸１３８に沿って上下（矢印Ｑ４方向）に往復移動する。
【０００６】
また、針振り揺動体１３７には、図６に示すように針振りヨーク１３９の支持軸１４０が摺動自在で、なおかつ回動自在に挿入されている。図７に示すように、針振りヨーク１３９の先端部は、二股に別れ、図８に示す連結カラー１４２の両側に突出する連結ピン１４３を摺動自在かつ回動自在に把持する把持部１４１となっている。図９は、針振りヨーク１３９によって連結カラー１４２が支持された状態を示す図である。針振りヨーク１３９の支持軸１４０が針振り揺動体１３７に挿入されていると、針振りヨーク１３９自体が矢印Ｑ５方向に摺動自在で、矢印Ｑ６方向に回動自在であり、連結カラー１４２は針振りヨーク１３９に対して矢印Ｑ７方向に摺動自在で、矢印Ｑ８方向に回動自在である。
【０００７】
そして、図５及び１０に示すように上から順に固定カラー１４４、連結カラー１４２、針棒案内部材１５０、ブロック部１６０の内部に針棒１１１が上下動自在に内挿され、針棒１１１の先端にミシン針が固定されている。
【０００８】
針棒案内部材１５０の下部に固定されているブロック部１６０の両側面には図１１に示すように斜めに斜状溝１６１が形成されている。これら斜状溝１６１に対して、針棒回動ブラケット１７０に摺動自在に保持されるガイドピン１６２がそれぞれ係合している。針棒回動ブラケット１７０には、図１０に示すように針棒案内部材１５０が上下動可能に内挿されている。ガイドピン１６２は、バネ１６３によって斜状溝１６１に押しつけられ、当該斜状溝１６１に対して摺動可能に係合している。
【０００９】
また、図５に示すように針棒回動ブラケット１７０から突出する針棒案内部材１５０の上部に連結カラー１４２が外挿され、さらにその上から固定カラー１４４が外挿されている。連結カラー１４２は、針棒案内部材１５０の周面に沿って回動可能に挟まれている。
【００１０】
この針振り機構１３０によれば、ミシン主軸が回転すると、揺動レバー１３２、連結棒１３３及び針振りレバー１３４を介して、針振り揺動体１３７はガイド軸１３８に沿って上下に往復移動する。これにより針振り揺動体１３７に取り付けられている針振りヨーク１３９、さらには連結カラー１４２を介して針棒案内部材１５０も所定量上下に往復駆動される。その際に、ブロック部１６０の斜状溝１６１にガイドピン１６２が係合していることにより、ブロック部１６０は斜状溝１６１の方向に沿って左右に振れながら上下動することになる（図１１の二点鎖線部参照）。したがって、針棒案内部材１５０は矢印Ｑ９方向に振られ、針棒１１１も同じ方向に所定幅をもって振られる。針棒１１１は、前記針棒上下駆動機構１１０によって上下に駆動されるとき、１針ごとに針振り機構１３０により矢印Ｑ９方向に振られるようになっている。
図１２に鳩目穴の縫い目を示す。ＡとＣの範囲では縫い目は横方向であるが、Ｂの範囲では縫い目は放射状に斜めに形成される。図１２の横方向は図５のＱ９に一致する。ＡとＣの範囲を縫製する場合は、針振り機構を構成する各部品は図５に示される姿勢に配置され、針はＱ９の方向に振られる。このときガイド軸１３８に対して連結カラー１４２が移動した距離分を、針振り揺動体１３７に対して支持軸１４０が移動することにより、連結ピン１４３と把持部１４１の連結が保たれる。一方、Ｂの範囲を縫製する場合は、図示しない旋回機構により針棒回動ブラケット１７０が形成する縫い目の方向に合わせて旋回される。針棒回動ブラケット１７０に伴い、ブロック部１６０、ガイドピン１６２、針棒案内部材１５０、針棒１１１も旋回するため、針振り方向が形成する縫い目の方向に移動する。このときガイド軸１３８に対して連結カラー１４２が移動した距離分を、針振り揺動体１３７に対して支持軸１４０が、連結ピン１４３に対して把持部１４１が、各々の移動可能な方向の成分を移動することにより、連結ピン１４３と把持部１４１の連結が保たれる。
【特許文献１】特開２００１−３００１６４号公報
【発明の開示】
【発明が解決しようとする課題】
【００１１】
ここで、針振り機構１３０により針棒１１１が揺動する際に、針振り揺動体１３７に設けられた保持穴１３７ａ内を針振りヨーク１３９の支持軸１４０が軸方向（図６中の水平方向）に摺動するが、針振りヨーク１３９の把持部１４１には、針棒４を上下に駆動する力が、支持軸１４０の軸と直交する方向（図６中の上下方向）に働き、支持軸１４０を傾ける力として作用するため、支持軸１４０が保持穴１３７ａをこじることになる。このため、針振りの動作が高速になると、支持軸１４０が保持穴１３７ａをこじって、焼き付きが起こり、装置の高速化が困難なものとなっていた。
【００１２】
本発明の課題は、針振り動作時における機構内の軸支部に掛かる力を低減して、高速な針振り動作を可能とすることである。
【課題を解決するための手段】
【００１３】
請求項１記載の発明は、
針棒を上下動させる針棒上下駆動機構と、当該針棒上下駆動機構に同期して前記針棒を振る針振り機構とを備えるボタン穴かがりミシンにおいて、
前記針振り機構は、
前記針棒を、軸を中心とした回転方向及び上下方向に案内するため、当該針棒が摺動自在に挿通された前記針棒案内部と、
前記針棒案内部の周囲を囲い、前記針棒の軸方向に直交する方向を回動軸として前記針棒案内部が回動するとともに、前記針棒案内部が当該針棒案内部の回動軸方向に摺動するように、前記針棒を挟んだ両側部で前記針棒案内部を回動自在及び摺動自在に軸支する第一軸支部と、
前記針棒の軸方向及び前記第一軸支部の回動軸の両者に対して直交する方向を回動軸として前記第一軸支部が回動するとともに、前記第一軸支部が当該回動軸方向に摺動するように、一対の支持片で当該第一軸支部の回動軸の延長方向で前記第一軸支部を挟んで回動自在及び摺動自在に軸支する第二軸支部とを備えることを特徴としている。
【発明の効果】
【００１４】
本発明によれば、針棒が第一軸支部の両側部により回動自在及び摺動自在に軸支されるとともに、第一軸支部が第二軸支部の一対の支持片により回動自在及び摺動自在に軸支されているので、針棒及び第一軸支部がそれぞれ２点で軸支されることになり、針棒の針振り動作時に発生する軸支部一箇所あたりの力を低減することができる。これにより、高速な針振り動作が可能となる。
【発明を実施するための最良の形態】
【００１５】
以下、図を参照しながら本発明を実施するための最良の形態について詳しく説明する。ただし、以下に述べる実施形態には、本発明を実施するために技術的に好ましい種々の限定が付されているが、発明の範囲を以下の実施形態及び図示例に限定するものではない。なお、従来のものと同一箇所については同一符号を付してその説明を省略する。
【００１６】
図１は、ボタン穴かがりミシンの概略構成を示す斜視図であり、図２は図１の側面図である。図１，２に示すように、ボタン穴かがりミシン（以下、ミシン１）には、ミシン主軸２と、駆動ベルト２１及びプーリ２２，２３を介してミシン主軸２の回転に１／２の回転数で同期して回転する回転軸３と、針棒４と、ミシン主軸２の回転に基づいて針棒４を上下動させる針棒上下駆動機構５と、回転軸３の回転に基づいて針棒４を左右方向に振る針振り機構７とが備えられている。
【００１７】
図３は、針棒４、針棒上下駆動機構５及び針振り機構７の概略構成を示す斜視図である。
針棒４は、図３に示すように、その先端部にミシン針４１が固定されている。また、針棒４は、自在軸受け４２により上下動及び揺動自在に支持されている。針棒４の中間部には針棒抱き４３が取り付けられている。この針棒抱き４３は、針棒上下駆動機構５を介してミシン主軸２に連結されていて、ミシン主軸２の回転を針棒４に伝達して、当該針棒４を上下動させるようになっている。
【００１８】
針棒上下駆動機構５には、ミシン主軸２の前端部に固定連結され回転運動を行う回転錘５１と、回転錘５１の回転中心から偏心した位置に一端部が連結されるとともに他端部が針棒抱き４３に連結されたクランクロッド５２とが備えられている。これにより、ミシン主軸２が回転すると、それに伴って回転錘５１も回転し、クランクロッド５２が針棒抱き４３を上下動させることになる。
【００１９】
図４は針振り機構７の概略構成を示す上面図である。
針振り機構７には、図１〜図４に示すように、回転軸３の回転に基づいて、軸７１を中心に前後方向に回動する揺動リンク７２が設けられている。この揺動リンク７２の下端部には、針振りリンク７３が連結されている。
【００２０】
また、針振り機構７には、針棒４を、当該針棒４の軸を中心とした回転方向及び上下方向に案内するため、当該針棒４が摺動自在に挿通された針棒案内部７４が設けられている。針棒案内部７４には、針棒４が摺動自在に挿通された針棒案内部材１５０と、針棒案内部材１５０が一体的に嵌合し、前後方向に突出した一対の第一軸７８が形成された嵌合部７７とが設けられている。
【００２１】
針棒案内部材１５０の下部にはブロック部１６０が固定されていて、そのブロック部１６０の両側面には図示しない斜状溝１６１が形成されている（図１０，１１参照）。これら斜状溝１６１に対して、針棒回動ブラケット１７０に摺動自在に保持されるガイドピン１６２がそれぞれ係合している。針棒回動ブラケット１７０には、針棒案内部材１５０が上下動可能に内挿されている。ガイドピン１６２はバネ１６３によって斜状溝１６１に押しつけられ、当該斜状溝１６１に対して摺動可能に係合する。
【００２２】
嵌合部７７の一対の第一軸７８は、針棒案内部７４の周囲を囲う第一軸支部７９によって支持されている。第一軸支部７９には、上面視ロ字状の本体部８０と、本体部８０から左右方向に突出した一対の第二軸８１とが設けられている。
本体部８０における針棒４を挟んだ両側部（本実施形態における前側部８２及び後側部８３）には、第一軸７８を回動自在及び前後方向に摺動自在に軸支する第一貫通孔８４が形成されている。第一貫通孔８４により第一軸７８が軸支された針棒案内部７４は、左右方向（針棒４の軸方向に直交する方向）を回動軸として回動可能となり、さらに左右方向（当該針棒案内部７４の回動軸方向）に摺動可能となる。
【００２３】
そして、第一軸支部７９の第二軸８１は、針振りリンク７３に連結された第二軸支部８５によって支持されている。第二軸支部８５の後部には、後方に向けて互いに略平行に延出する一対の延出片８７が形成されている。この一対の延出片８７は、同一直線状に配された回動軸８８により回動自在に軸支されている。また、第二軸支部８５の前部には、前方に向けて互いに略平行に延出する支持片８９が形成されている。この支持片８９の先端部には第二軸８１を回動自在及び左右方向に摺動自在に軸支する第二貫通孔９０が形成されている（図４参照）。第二貫通孔９０により第二軸８１が軸支されると、第二軸支部８５は、第一軸支部７９を左右方向で挟んで回動自在及び摺動自在に軸支することになる。これにより、第一軸支部７９は、前後方向（針棒４の軸方向及び第一軸支部７９の回動軸の両者に対して直交する方向）を回動軸として回動可能となり、さらに、前後方向（第一軸支部７９の回動軸方向）に摺動可能となる。
【００２４】
そして、図３に示すように針棒回動ブラケット１７０から突出する針棒案内部材１５０の上部に固定カラー１４４が外挿されている。
【００２５】
次に本実施形態の作用について説明する。
まず、ミシン主軸２が回転すると、その回転に伴って回転錘５１も回転し、クランクロッド５２が針棒抱き４３を上下動させて、針棒４が上下動することになる。
この上下動時においてはミシン主軸２の回転に伴って回転軸３も回転している。回転軸３が回転すると、その回転に伴って揺動リンク７２も前後方向に揺動する。この揺動リンク７２の揺動に伴って、針振りリンク７３が回動軸８８を中心に上下方向に揺動する。
【００２６】
そして、針振りリンク７３の揺動により、第二軸支部８５も回動軸８８を中心に上下方向に揺動するため、第二軸支部８５の支持片８９が第一軸支部７９を介して針棒案内部７４を上下方向に揺動させる。その際に、ブロック部１６０の斜状溝１６１にガイドピン１６２が係合していることにより、ブロック部１６０は斜状溝１６１の方向に沿って左右に振れながら上下動することになる（図１１の二点鎖線部参照）。したがって、針棒案内部材１５０は左右方向に振られ、針棒４も同じ方向に所定幅をもって振られる。
このように針棒４は、針棒上下駆動機構５によって上下に駆動されるとき、１針ごとに針振り機構７により左右方向に振られるようになっている。
【００２７】
ここで、針棒回動ブラケット１７０が図示しない旋回機構によって旋回するとき、当該旋回に基づいてガイドピン１６２、ブロック部１６０及び針棒案内部材１５０も旋回するため、針振りリンク７３の揺動方向も変化する。
旋回動作、針振り動作、上下動作により針棒４は様々な方向に振られることになるが、当該針棒４は、自在軸受け４２、第一軸支部７９及び第二軸支部８５を介して回動自在及び摺動自在に支持されているために、確実に支持された状態で様々な方向へ動作することになる。
【００２８】
以上のように、針棒４が第一軸支部７９の両側部により回動自在及び摺動自在に軸支されるとともに、第一軸支部７９が第二軸支部８５の一対の支持片８９により回動自在及び摺動自在に軸支されているので、針棒４及び第一軸支部７９がそれぞれ２点で軸支されることになる。これにより、針棒４の針振り動作時に発生したする軸支部一箇所あたりの力を低減することができ、従来よりも高速な針振り動作が可能となる。
【図面の簡単な説明】
【００２９】
【図１】本実施形態に係るボタン穴かがりミシンの概略構成を示す斜視図である。
【図２】図１のボタン穴かがりミシンの概略構成を示す側面図である。
【図３】図１のボタン穴かがりミシンに備わる針棒、針棒上下駆動機構及び針振り機構の概略構成を示す斜視図である。
【図４】図３の針振り機構の概略構成を示す上面図である。
【図５】従来のボタン穴かがりミシンの概略構成を示す斜視図である。
【図６】図５のボタン穴かがりミシンに備わる針振り揺動体と針振りヨークとの係合状態を示す側面図である。
【図７】図５のボタン穴かがりミシンに備わる針振りヨークの概略構成を示す斜視図である。
【図８】図５のボタン穴かがりミシンに備わる連結カラーの概略構成を示す斜視図である。
【図９】図７の針振りヨークと、図８の連結カラーとの係合状態を示す斜視図である。
【図１０】図５のボタン穴かがりミシンに備わる固定カラー、連結カラー、針棒案内部材、ブロック部の係合状態を示す側面図である。
【図１１】図１０のブロック部の両側面に形成された斜状溝を示す正面図である。
【図１２】鳩目穴の縫い目を示す説明図である。
【符号の説明】
【００３０】
１      ミシン（ボタン穴かがりミシン）
２      ミシン主軸
３      回転軸
４      針棒
５      針棒上下駆動機構
７      針振り機構
４１      ミシン針
７９      第一軸支部
８２      前側部
８３      後側部
８５      第二軸支部
８９      支持片
【図１】
2009061031.tif 000003
【図２】
2009061031.tif 000004
【図３】
2009061031.tif 000005
【図４】
2009061031.tif 000006
【図５】
2009061031.tif 000007
【図６】
2009061031.tif 000008
【図７】
2009061031.tif 000009
【図８】
2009061031.tif 000010
【図９】
2009061031.tif 000011
【図１０】
2009061031.tif 000012
【図１１】
2009061031.tif 000013
【図１２】
2009061031.tif 000014